(57)【要約】      （修正有）【課題】選択された情報項目に対応付けられている属性値と該選択された情報項目以外の情報項目に対応付けられた属性値との相対的な関係が分かるように、複数の情報項目を表示部に一覧的に表示させる「情報提供装置」を提供する。【解決手段】それぞれに属性値が対応付けられた複数の情報項目を表示部に一覧的に表示させて、当該複数の情報項目についての情報を提供する情報提供装置であって、前記表示部の画面上で選択された情報項目以外の情報項目に対応づけられた属性値の当該選択された情報項目に対応付けられた属性値に対する相対関係を表す関係情報を、前記選択された情報項目以外の前記情報項目に対応づけて前記表示部に表示させる関係表示制御手段（Ｓ２０〜Ｓ２５）を有する構成となる。【選択図】図３Ｂ
2014154064.tif 000002
【特許請求の範囲】
【請求項１】
それぞれに属性値が対応付けられた複数の情報項目を表示部に一覧的に表示させて、当該複数の情報項目についての情報を提供する情報提供装置であって、
前記表示部の画面上で選択された情報項目以外の情報項目に対応づけられた属性値の当該選択された情報項目に対応付けられた属性値に対する相対関係を表す関係情報を、前記選択された情報項目以外の前記情報項目に対応づけて前記表示部に表示させる関係表示制御手段を有する情報提供装置。
【請求項２】
前記関係情報は、前記選択された情報項目以外の前記情報項目に対応付けられた属性値が当該選択された情報項目に対応付けられた属性値より大きいという相対関係を表す第１関係情報を含む請求項１記載の情報提供装置。
【請求項３】
前記関係表示制御手段は、大きい程度に応じて異なる前記第１関係情報を前記表示部に表示させる請求項２記載の情報提供装置。
【請求項４】
前記関係情報は、前記選択された情報項目以外の前記情報項目に対応付けられた属性値が当該選択された情報項目に対応付けられた属性値より小さいという相対関係を表す第２関係情報を含む請求項１乃至３のいずれかに記載の情報提供装置。
【請求項５】
前記関係表示制御手段は、小さい程度に応じて異なる前記第２関係情報を前記表示部に表示させる請求項４記載の情報提供装置。
【請求項６】
前記関係表示制御手段は、前記選択された情報項目以外の前記情報項目に対応付けられた属性値が当該選択された情報項目に対応付けられた属性値が異なるという相対関係を色によって表す関係情報を前記表示部に表示させる請求項１乃至５のいずれかに記載の情報提供装置。
【請求項７】
前記選択された情報項目以外の情報項目の背景色によって前記相対関係を表す関係情報を前記表示部に表示させる請求項６記載の情報提供装置。
【請求項８】
前記複数の情報項目のそれぞれに複数の属性種の属性値が対応づけられており、
属性種を指定する属性種指定手段を有し、
前記関係表示制御手段は、前記属性種指定手段にて指定された属性種の属性値についての関係情報を前記選択された情報項目以外の前記情報項目に対応づけて前記表示部に表示させる請求項１乃至７のいずれかに記載の情報提供装置。
【請求項９】
それぞれに印象を数値化して表す属性値が対応付けられた複数のコンテンツの情報項目を表示部に一覧的に表示させて、当該複数のコンテンツの情報項目についての情報を提供する情報提供装置であって、
前記表示部の画面上で選択されたコンテンツの情報項目以外のコンテンツの情報項目に対応付けられた属性値の当該選択されたコンテンツの情報項目に対応付けられた属性値に対する相対関係を表す関係情報を、前記選択されたコンテンツの情報項目以外の前記コンテンツの情報項目に対応づけて前記表示部に表示させる関係表示制御手段を有する情報提供装置。
【請求項１０】
前記コンテンツは楽曲のコンテンツであり、
前記属性値は、楽曲の印象を数値化して表したものである請求項９記載の情報提供装置。
【請求項１１】
それぞれに属性値が対応付けられた複数の情報項目を表示部に一覧的に表示させて、当該複数の情報項目についての情報を提供する情報提供方法であって、
前記表示部の画面上で選択された情報項目以外の情報項目に対応付けられた属性値の当該選択された情報項目に対応付けられた属性値に対する相対関係を表す関係情報を、前記選択された情報項目以外の前記情報項目に対応づけて前記表示部に表示させる情報提供方法。
【請求項１２】
それぞれに印象を数値化して表す属性値が対応付けられた複数のコンテンツの情報項目を表示部に一覧的に表示させて、当該複数のコンテンツの情報項目についての情報を提供する情報提供方法であって、
前記表示部の画面上で選択されたコンテンツの情報項目以外のコンテンツの情報項目に対応付けられた属性値の当該選択されたコンテンツの情報項目に対応付けられた属性値に対する相対関係を表す関係情報を、前記選択されたコンテンツの情報項目以外の前記コンテンツの情報項目に対応づけて前記表示部に表示させる情報提供方法。
【請求項１３】
それぞれに属性値が対応付けられた複数の情報項目を表示部に一覧的に表示させて、該表示部の画面上で前記複数の情報項目において指定された情報項目を選択する情報選択装置であって、
選択された情報項目以外の情報項目に対応付けられた属性値の当該選択された情報項目に対応付けられた属性値に対する相対関係を表す関係情報を、前記選択された情報項目以外の前記情報項目に対応づけて前記表示部に表示させる関係表示制御手段を有する情報選択装置。
【請求項１４】
それぞれに印象を数値化して表す属性値が対応付けられた複数のコンテンツの情報項目を表示部に一覧的に表示させて、該表示部の画面上で前記複数のコンテンツの情報項目において指定されたコンテンツの情報項目を選択する情報選択装置であって、
選択されたコンテンツの情報項目以外のコンテンツの情報項目に対応づけられた属性値の当該選択されたコンテンツの情報項目に対応付けられた属性値に対する相対関係を表す関係情報を、前記選択されたコンテンツの情報項目以外の前記コンテンツの情報項目に対応づけて前記表示部に表示させる関係表示制御手段を有する情報選択装置。
【発明の詳細な説明】
【技術分野】
【０００１】
本発明は、複数の情報項目を表示部に一覧的に表示させて、当該複数の情報項目についての情報を提供する情報提供装置及び情報提供方法、並びに、複数の情報項目を表示部に一覧的に表示させて、該表示部の画面上で前記複数の情報項目において指定された情報項目を選択する情報選択装置に関する。
【背景技術】
【０００２】
従来、特許文献１に記載される車載オーディオ装置が知られている。この車載オーディオ装置では、ＨＤＤ（ハードディスクドライブユニット）に記録された楽曲のオーディオファイルに対応付けられたプレイリストが表示装置に表示される。楽曲のタイトル、楽曲が収録されたアルバムの名称（アルバム）、楽曲のアーティストの名前（アーティスト）及び楽曲のジャンルが一組になって当該楽曲の情報項目が構成され、各楽曲の情報項目が一覧的にプレイリストとして表示装置に表示される。このプレイリストの表示装置での表示により、各楽曲の情報項目についての情報（楽曲のタイトル、楽曲が収録されるアルバム名、楽曲のアーティスト名及び楽曲のジャンル）が利用者に対して提供される。
【０００３】
表示装置の表示画面に表示される複数の楽曲の情報項目から構成されるプレイリストにおいて１つの楽曲の情報項目の指定操作がなされると、その指定された情報項目の楽曲が再生されるべき楽曲として選択される。そして、その選択された楽曲のオーディオデータファイルに基づいて当該楽曲の再生処理がなされる。
【先行技術文献】
【特許文献】
【０００４】
【特許文献１】特開２００７−２１３７４８号公報
【発明の概要】
【発明が解決しようとする課題】
【０００５】
ところで、上述したような表示装置に表示されたプレイリストにおいて１つの楽曲の情報項目が選択されたときに、その選択された情報項目の楽曲の印象（躍動感の程度、テンポの速い・遅い、激しさの程度等）と他の情報項目の楽曲の印象との相対的な関係が分かれば、プレイリストでの楽曲の情報項目の次の選択のために参考になって便利である。例えば、その相対的な関係に基づいて、選択された情報項目の楽曲より、躍動感のある、テンポの速い、あるいは、テンポの遅い楽曲を次に容易に選択することができる。
【０００６】
本発明は、このような事情に鑑みてなされたもので、選択された情報項目に対応付けられている属性値と該選択された情報項目以外の情報項目に対応付けられた属性値との相対的な関係が分かるように、複数の情報項目を表示部に一覧的に表示させる情報提供装置、情報提供方法、及び情報選択装置を提供するものである。
【課題を解決するための手段】
【０００７】
本発明に係る情報提供装置は、それぞれに属性値が対応付けられた複数の情報項目を表示部に一覧的に表示させて、当該複数の情報項目についての情報を提供する情報提供装置であって、前記表示部の画面上で選択された情報項目以外の情報項目に対応づけられた属性値の当該選択された情報項目に対応付けられた属性値に対する相対関係を表す関係情報を、前記選択された情報項目以外の前記情報項目に対応づけて前記表示部に表示させる関係表示制御手段を有する構成となる。
【０００８】
このような構成により、表示部に一覧的に表示された複数の情報項目において１つの情報項目が選択されると、その選択された情報項目以外の情報項目に対応付けられた属性値の当該選択された情報項目に対応付けられた属性値に対する相対関係を表す関係情報が、その選択された情報項目以外の前記情報項目に対応づけて表示される。前記関係情報により、当該関係情報が対応づけられて表示された情報項目に対応付けられている属性値の前記選択された情報項目に対応付けられている属性値との相対関係を示すことができる。
【０００９】
本発明に係る情報提供装置において、前記関係情報は、前記選択された情報項目以外の前記情報項目に対応付けられた属性値が当該選択された情報項目に対応付けられた属性値より大きいという相対関係を表す第１関係情報を含む構成とすることができる。
【００１０】
このような構成により、表示部に一覧的に表示された複数の情報項目において、選択された情報項目に対応付けられた属性値より大きい属性値が対応付けられた情報項目を第１関係情報によって示すことができる。
【００１１】
本発明に係る情報提供装置において、前記関係表示制御手段は、大きい程度に応じて異なる前記第１関係情報を前記表示部に表示させる構成とすることができる。
【００１２】
このような構成により、表示部に一覧的に表示された複数の情報項目において、選択された情報項目に対応付けられた属性値より大きい属性値が対応付けられた情報項目の当該属性値のその大きい程度を第１関係情報によって示すことができる。
【００１３】
また、本発明に係る情報提供装置において、前記関係情報は、前記選択された情報項目以外の前記情報項目に対応付けられた属性値が当該選択された情報項目に対応付けられた属性値より小さいという相対関係を表す第２関係情報を含む構成とすることができる。
【００１４】
このような構成により、表示部に一覧的に表示された複数の情報項目において、選択された情報項目に対応付けられた属性値より小さい属性値が対応付けられた情報項目を第２関係情報によって示すことができる。
【００１５】
更に、本発明に係る情報提供装置において、前記関係表示制御手段は、小さい程度に応じて異なる前記第２関係情報を前記表示部に表示させる構成とすることができる。
【００１６】
このような構成により、表示部に一覧的に表示された複数の情報項目において、選択された情報項目に対応付けられた属性値より小さい属性値が対応付けられた情報項目の当該属性値のその小さい程度を第２関係情報によって示すことができる。
【００１７】
本発明に係る情報提供装置において、前記関係表示制御手段は、前記選択された情報項目以外の前記情報項目に対応付けられた属性値が当該選択された情報項目に対応付けられた属性値が異なるという相対関係を色によって表す関係情報を前記表示部に表示させる構成とすることができる。
【００１８】
このような構成により、表示部に一覧的に表示された複数の情報項目において１つの情報項目が選択されると、その選択された情報項目以外の情報項目以外の情報項目に対応づけられて表示される関係情報の色により、当該関係情報が対応づけられて表示された情報項目に対応付けられた属性値の前記選択された情報項目に対応付けられた属性値に対する相対関係を示すことができる。
【００１９】
また、本発明に係る情報提供装置において、前記選択された情報項目以外の情報項目の背景色によって前記相対関係を表す関係情報を前記表示部に表示させる構成とすることができる。
【００２０】
このような構成により、表示部に一覧的に表示された複数の情報項目において１つの情報項目が選択されると、その選択された情報項目以外の情報項目の背景色により、その背景色の情報項目に対応付けられた属性値の前記選択された情報項目に対応付けられた属性値に対する相対関係を示すことができる。
【００２１】
本発明に係る情報提供装置において、前記複数の情報項目のそれぞれに複数の属性種の属性値が対応づけられており、属性種を指定する属性種指定手段を有し、前記関係表示制御手段は、前記属性種指定手段にて指定された属性種の属性値についての関係情報を前記選択された情報項目以外の前記情報項目に対応づけて前記表示部に表示させる構成とすることができる。
【００２２】
このような構成により、属性種指定手段により属性種が指定されて、表示部に一覧的に表示された複数の情報項目において１つの情報項目が選択されると、その選択された情報項目以外の情報項目に対応付けられた前記指定属性種の属性値の当該選択された情報項目に対応付けられた前記指定属性種の属性値に対する相対関係を表す関係情報が、その選択された情報項目以外の前記情報項目に対応づけて表示される。前記関係情報により、当該関係情報が対応づけられて表示された情報項目に対応付けられている前記指定属性種の属性値の前記選択された情報項目に対応付けられている前記指定属性種の属性値との相対関係を示すことができる。
【００２３】
本発明に係る情報提供装置は、それぞれに印象を数値化して表す属性値が対応付けられた複数のコンテンツの情報項目を表示部に一覧的に表示させて、当該複数のコンテンツの情報項目についての情報を提供する情報提供装置であって、前記表示部の画面上で選択されたコンテンツの情報項目以外のコンテンツの情報項目に対応付けられた属性値の当該選択されたコンテンツの情報項目に対応付けられた属性値に対する相対関係を表す関係情報を、前記選択されたコンテンツの情報項目以外の前記コンテンツの情報項目に対応づけて前記表示部に表示させる関係表示制御手段を有する構成となる。
【００２４】
このような構成により、表示部に一覧的に表示された複数のコンテンツの情報項目において１つのコンテンツの情報項目が選択されると、その選択されたコンテンツの情報項目以外のコンテンツの情報項目に対応付けられた印象（属性値）の当該選択されたコンテンツの情報項目に対応付けられた印象（属性値）に対する相対関係を表す関係情報が、その選択されコンテンツの情報項目以外の前記コンテンツの情報項目に対応づけて表示される。前記関係情報により、当該関係情報が対応づけられて表示されたコンテンツの情報項目に対応付けられている印象（属性値）の前記選択されたコンテンツの情報項目に対応付けられている印象（属性値）との相対関係を示すことができる。
【００２５】
また、本発明に係る情報提供装置において、前記コンテンツは楽曲のコンテンツであり、
前記属性値は、楽曲の印象を数値化して表したものである構成とすることができる。
【００２６】
このような構成により、表示部に一覧的に表示された複数の楽曲の情報項目において１つの楽曲の情報項目が選択されると、その選択された楽曲の情報項目以外の楽曲の情報項目に対応付けられた印象（属性値）の当該選択された楽曲の情報項目に対応付けられた印象（属性値）に対する相対関係を表す関係情報が、その選択され楽曲の情報項目以外の前記コンテンツの情報項目に対応づけて表示される。前記関係情報により、当該関係情報が対応づけられて表示された楽曲の情報項目に対応付けられている印象（属性値）の前記選択された楽曲の情報項目に対応付けられている印象（属性値）との相対関係を示すことができる。
【００２７】
本発明に係る情報提供方法は、それぞれに属性値が対応付けられた複数の情報項目を表示部に一覧的に表示させて、当該複数の情報項目についての情報を提供する情報提供方法であって、前記表示部の画面上で選択された情報項目以外の情報項目に対応付けられた属性値の当該選択された情報項目に対応付けられた属性値に対する相対関係を表す関係情報を、前記選択された情報項目以外の前記情報項目に対応づけて前記表示部に表示させる構成となる。
【００２８】
また、本発明に係る情報提供方法は、それぞれに印象を数値化して表す属性値が対応付けられた複数のコンテンツの情報項目を表示部に一覧的に表示させて、当該複数のコンテンツの情報項目についての情報を提供する情報提供方法であって、前記表示部の画面上で選択されたコンテンツの情報項目以外のコンテンツの情報項目に対応付けられた属性値の当該選択されたコンテンツの情報項目に対応付けられた属性値に対する相対関係を表す関係情報を、前記選択されたコンテンツの情報項目以外の前記コンテンツの情報項目に対応づけて前記表示部に表示させる構成となる。
【００２９】
本発明に係る情報選択装置は、それぞれに属性値が対応付けられた複数の情報項目を表示部に一覧的に表示させて、該表示部の画面上で前記複数の情報項目において指定された情報項目を選択する情報選択装置であって、選択された情報項目以外の情報項目に対応付けられた属性値の当該選択された情報項目に対応付けられた属性値に対する相対関係を表す関係情報を、前記選択された情報項目以外の前記情報項目に対応づけて前記表示部に表示させる関係表示制御手段を有する構成となる。
【００３０】
このような構成により、複数の情報項目が一覧的に表示された表示部の画面上で１つの情報項目が指定されると、その指定された情報項目が選択される。そして、その選択された情報項目以外の情報項目に対応付けられた属性値の当該選択された情報項目に対応付けられた属性値に対する相対関係を表す関係情報が、その選択された情報項目以外の前記情報項目に対応づけて表示される。前記関係情報により、当該関係情報が対応づけられて表示された情報項目に対応付けられている属性値の前記選択された情報項目に対応付けられている属性値との相対関係を示すことができる。
【００３１】
また、本発明に係る情報選択装置は、それぞれに印象を数値化して表す属性値が対応付けられた複数のコンテンツの情報項目を表示部に一覧的に表示させて、該表示部の画面上で前記複数のコンテンツの情報項目において指定されたコンテンツの情報項目を選択する情報選択装置であって、選択されたコンテンツの情報項目以外のコンテンツの情報項目に対応づけられた属性値の当該選択されたコンテンツの情報項目に対応付けられた属性値に対する相対関係を表す関係情報を、前記選択されたコンテンツの情報項目以外の前記コンテンツの情報項目に対応づけて前記表示部に表示させる関係表示制御手段を有する構成となる。
【００３２】
このような構成により、複数のコンテンツの情報項目が一覧的に表示された表示部の画面上で１つのコンテンツの情報項目が指定されると、その指定されたコンテンツの情報項目が選択される。そして、その選択されたコンテンツの情報項目以外のコンテンツの情報項目に対応付けられた印象（属性値）の当該選択されたコンテンツの情報項目に対応付けられた印象（属性値）に対する相対関係を表す関係情報が、その選択されコンテンツの情報項目以外の前記コンテンツの情報項目に対応づけて表示される。前記関係情報により、当該関係情報が対応づけられて表示されたコンテンツの情報項目に対応付けられている印象（属性値）の前記選択されたコンテンツの情報項目に対応付けられている印象（属性値）との相対関係を示すことができる。
【発明の効果】
【００３３】
本発明に係る情報提供装置及び情報提供方法によれば、関係情報により、当該関係情報が対応づけられて表示された情報項目に対応付けられている属性値の前記選択された情報項目に対応付けられている属性値との相対関係を示すことができるので、前記選択された情報項目に対応付けられている属性値と該選択された情報項目以外の情報項目に対応付けられている属性値との相対的な関係が分かるように、複数の情報項目を表示部に一覧的に表示させて、当該複数の情報項目についての情報を提供することができる。
【００３４】
本発明に係る情報選択装置によれば、複数のコンテンツの情報項目が一覧的に表示された表示部の画面上で１つのコンテンツの情報項目が選択された際に、関係情報により、当該関係情報が対応づけられて表示された情報項目に対応付けられている属性値の前記選択された情報項目に対応付けられている属性値との相対関係を示すことができるので、前記選択された情報項目に対応付けられている属性値と該選択された情報項目以外の情報項目に対応付けられている属性値との相対的な関係が分かるように複数の情報項目を表示部に一覧的に表示され、その一覧表示された複数の情報項目から前記相対関係を考慮して１つの情報項目を選択することができる。
【図面の簡単な説明】
【００３５】
【図１】本発明の実施の形態に係る情報提供装置及び情報選択装置を有する車載機器を示すブロック図である。
【図２】楽曲データベースの構成例を示す図である。
【図３Ａ】楽曲リストの表示及び楽曲の選択に係る処理の流れ（その１）を示すフローチャートである。
【図３Ｂ】楽曲リストの表示及び楽曲の選択に係る処理の流れ（その２）を示すフローチャートである。
【図４】楽曲リストの表示例（その１）を示す図である。
【図５】楽曲リストの表示例（その２）を示す図である。
【図６】楽曲リストの表示例（その３）を示す図である。
【図７】楽曲リストの表示例（その４）を示す図である。
【発明を実施するための形態】
【００３６】
本発明の実施の一形態について図面を用いて説明する。
【００３７】
本発明の実施の一形態に係る情報提供装置及び情報選択装置を有する車載機器は、図１に示すように構成される。
【００３８】
図１において、車載機器１００は、コンピュータユニット（ＣＰＵを含む）によって構成される処理ユニット１１を有している。処理ユニット１１には、各種音源及び映像源（例えば、ＣＤ、ＤＶＤ等）の再生処理を行うＡＶユニット１７、及び自車両のルート案内等のナビゲーション処理を行うナビゲーションユニット１８が接続されている。また、処理ユニット１１には、スピーカ１６と接続される出力回路１５が接続されており、処理ユニット１１の制御のもと、ＡＶユニット１７及びナビゲーションユニット１８の処理に基づいた音声信号が出力回路１５を介してスピーカ１６に供給され、スピーカ１６からその音声信号に基づいた音が出力される。また、車載機器１００は、記憶部１４（ハードディスクドライブユニット（ＨＤＤ）等）を有し、記憶部１４には、ＡＶユニット１７及びナビゲーションユニット１８にて利用される楽曲情報や地図情報等の各種情報が記憶されている。処理ユニット１１は、記憶部１４に各種情報を記憶させ、また、記憶部１４から各種情報を読み出すことができる。
【００３９】
また、処理ユニット１１には、ＬＣＤ等によって構成され、映像等の各種情報を表示する表示部１３と、表示部１３上のタッチパネルや操作ボタン等にて構成され、処理に対する指示や各種情報を入力するために用いられる操作部１２とが接続されている。処理ユニット１１は、操作部１２での操作に基づいて処理を実行するとともに、処理の過程で得られた情報等を表示部１３に表示させることができる。
【００４０】
記憶部１４には、楽曲をＡＶユニット１７によって再生するための所定形式のオーディオデータとともに、前記オーディオデータによって再生可能な楽曲を管理するための楽曲データベースが記憶されている。楽曲データベースは、例えば、図２に示すように構成されている。
【００４１】
図２に示す楽曲データベースにおける各楽曲の情報項目は、楽曲の識別番号「ＩＤ」、楽曲のアーティストの名前「アーティスト」、楽曲の収録されたアルバムの名称「アルバム」、楽曲の再生時間「時間」及び楽曲の再生回数「再生回数」を表す。また、この楽曲データベースにおいて、各楽曲の情報項目には、その楽曲の印象を数値化して表した属性値である印象値が対応づけられている。印象の種類（属性種）として、例えば、「激しさ」、「躍動感」、「爽快」、「素朴」、「ソフト」の５つの印象の種類が設定されている。各種の印象の程度は、例えば、その印象の程度が最も大きい「３」、その印象の程度が最も小さい「１」及びその印象の程度がそれらの間である「２」の３段階で表される。例えば、「ＩＤ」＝１の楽曲の印象は、「激しさ」＝３、「躍動感」＝３、「爽快」＝１、「素朴」＝１、「ソフト」＝１の５つの印象値で表され、楽曲データベースにおいて、その楽曲の情報項目にそれらの５つの印象値が対応づけられている。
【００４２】
上述したような構成の車載機器１００において、情報提供装置及び情報選択装置は、後述するような処理を実行する処理ユニット１１の機能及び表示部１３によって構成される。
【００４３】
処理ユニット１１は、図３Ａ及び図３Ｂに示す手順に従って、楽曲についての情報を提供するための処理及び再生すべき楽曲を選択するための処理を実行する。
【００４４】
図３Ａにおいて、処理ユニット１１は、前述した楽曲データベース（図２参照）を参照して検索処理を実行し、それにより得られた楽曲リストを表示部１３に表示させる（Ｓ１１）。この楽曲リストは、例えば、図４に示すように、検索により得られた複数の楽曲の情報項目ＩＴ１、ＩＴ２、ＩＴ３、ＩＴ４、ＩＴ５、ＩＴ６、・・・が一覧的に配列された構成となっている。各楽曲の情報項目ＩＴ１〜ＩＴ６、・・・は、前述した楽曲データベース（図２参照）と同様に、「タイトル」（楽曲のタイトル名）、「時間」（楽曲の再生時間）、「アーティスト」（楽曲のアーティスト名）、「アルバム」（楽曲が収録されたアルバムの名称）、「ジャンル」（楽曲のジャンル）及び「再生回数」（楽曲の今までの再生回数）の情報を表す。また、表示部１３の画面上部所定領域には、前述した５つの印象の種類（「激しさ」、「躍動感」、「爽快」、「素朴」、「ソフト」）に対応する印象指定ボタン１３１、１３２、１３３、１３４、１３５（属性種指定手段）が形成されている。
【００４５】
処理ユニット１１は、このように楽曲リスト（図４参照）を表示部１３に表示させる（Ｓ１１）と、操作部１２により楽曲リストの表示終了に係る操作がなされたか否か（Ｓ１２）、及び操作部１２により表示部１３に表示された楽曲リスト上での楽曲選択に係る操作がなされたか否か（Ｓ１３）を繰り返し判定する。この過程で、例えば、図４に示すように、操作部１２を操作することにより表示部１３の画面上でカーソルＣｒが移動され、操作部１２により所定の選択操作がなされると、処理ユニット１１は、楽曲選択に係る操作がなされた（Ｓ１３でＹＥＳ）として、そのカーソルＣｒが指示する楽曲の情報項目（図４に示す例では、情報項目ＩＴ４）ついての選択処理を実行する（Ｓ１４）。なお、表示部１３の画面上においてカーソルＣｒが指示する楽曲の情報項目ＩＴ４の背景が所定の色（例えば、青色）で表示され、利用は、カーソルＣｒの位置とともに情報項目の背景色により選択された楽曲の情報項目を即座に知ることができる。
【００４６】
なお、楽曲の情報項目が選択されると、その選択された情報項目の楽曲に対応するオーディオデータが記憶部１４から読み出され、処理ユニット１１及びＡＶユニット１７での処理により、そのオーディオデータから得られる音声信号に従った楽曲の音がスピーカ１６から出力される。例えば、図４に示すように、楽曲の情報項目ＩＴ４が選択されると、タイトルがａａａでアーティストがＡＢＣの楽曲が再生されて、その楽曲の音がスピーカ１６から出力される。
【００４７】
前述したように、楽曲の情報項目についての選択処理を実行した処理ユニット１１は、更に、操作部１２により楽曲リストの表示終了に係る操作がなされたか否か（Ｓ１５）、及び印象指定ボタン１３１〜１３５のいずれかが操作されたか否か（Ｓ１６）を繰り返し実行する。例えば、利用者が、前述したようにして選択した楽曲より更に爽快な楽曲を聴きたいとして、図５に示すように、「爽快」の印象指定ボタン１３３を操作すると、処理ユニット１１は、まず、楽曲データベース（図２参照）を参照して、選択された楽曲の情報項目ＩＴ４に対応した指定印象「爽快」の印象値ＩＭｓ（＝２）を取得する（Ｓ１７）。そして、処理ユニット１１は、更に、表示部１３に表示されている前記選択された楽曲の情報項目ＩＴ４以外の楽曲の情報項目ＩＴｉ（ｉ＝１、２、３、５、６・・・）に対応付けられている指定印象「爽快」の印象値ＩＭｉを取得し、その印象値ＩＭｉと前記選択された楽曲の情報項目ＩＴ４に対応づけられている印象値ＩＭｓ（＝２）との差ΔＩＭｉ（＝ＩＭｉ−ＩＭｓ）を演算する（Ｓ１９）。
【００４８】
その後、処理ユニット１１は、図３Ｂに示す処理に移行して、前記差ΔＩＭｉがゼロであるか否かを判定する（Ｓ２０）。前記差ΔＩＭｉがゼロであるということは、選択された楽曲の情報項目ＩＴ４以外の楽曲の情報項目ＩＴｉに対応づけられた指定印象「爽快」の印象値ＩＭｉが当該選択された楽曲の情報項目ＩＴ４に対応付けられた指定印象「爽快」の印象値ＩＭｓと同じであるという相対関係を表す。即ち、前記差ΔＩＭｉがゼロということは、情報項目ＩＴｉの楽曲の爽快さは、前記選択された情報項目ＩＴ４の楽曲の爽快さと同程度であることを表す。
【００４９】
前記差ΔＩＭｉがゼロでない場合（Ｓ２０でＮＯ）、処理ユニット１１は、更に、前記差ΔＩＭｉが正値であるか否か（ＩＭｉ＞０）を判定する（Ｓ２１）。前記差ΔＩＭｉが正値である（Ｓ２１でＹＥＳ）ということは、選択された楽曲の情報項目ＩＴ４以外の楽曲の情報項目ＩＴｉに対応付けられた指定印象「爽快」の印象値ＩＭｉが当該選択された楽曲の情報項目ＩＴ４に対応付けられた指定印象「爽快」の印象値ＩＭｓより大きいという相対関係を表す。即ち、前記差ΔＩＭｉが正値であるということは、情報項目ＩＴｉの楽曲は、前記選択された情報項目ＩＴ４の楽曲より爽快さの程度が大きいということ（より爽快であること）を表す。一方前記差ΔＩＭｉが正値でなない（負値である：Ｓ２１でＮＯ）ということは、選択された楽曲の情報項目ＩＴ４以外の楽曲の情報項目ＩＴｉに対応付けられた指定印象「爽快」の印象値ＩＭｉが当該選択された楽曲の情報項目ＩＴ４に対応付けられた指定印象「爽快」の印象値ＩＭｓより小さいという相対関係を表す。即ち、前記差ΔＩＭｉが正値でないということは、情報項目ＩＴｉの楽曲は、前記選択された情報項目ＩＴ４の楽曲より爽快さの程度が小さいということ（爽快ではないということ）を表す。
【００５０】
前述したように、前記差ΔＩＭｉが正値である場合、処理ユニット１１は、その楽曲の情報項目ＩＴｉをその差ΔＩＭｉとともに＋印象曲リストに記録する（Ｓ２２）。一方、前記差ΔＩＭｉが正値でない（負値である）場合、処理ユニットは、その楽曲の情報項目ＩＴｉをその差ΔＩＭｉとともに−印象曲リストに記録する（Ｓ２３）。
【００５１】
処理ユニット１１は、表示部１３に一覧的に表示されている（図５参照）全ての未選択楽曲の情報項目ＩＴｉについての処理が終了したか否かを判定する（Ｓ２４）。全ての未選択楽曲の情報項目ＩＴｉについての処理がまだ終了していなければ（Ｓ２４でＮＯ）、図３Ａの処理に戻って、処理ユニット１１は、次の未選択楽曲の情報項目ＩＴｉに対応付けられた指定印象「爽快」の印象値ＩＭｉを取得し（Ｓ１８）、更に、前述した処理（Ｓ１９、Ｓ２０〜Ｓ２４（図３Ｂ参照））と同様の処理を実行する。
【００５２】
このような処理が、処理部１３に一覧的に表示された全ての未選択楽曲の情報項目ＩＴｉに対して終了すると（Ｓ２４でＹＥＳ）、処理ユニット１１は、前記＋印象曲リスト及び前記−印象曲リストを参照して、選択された楽曲の情報項目ＩＴ４以外の楽曲の情報項目ＩＴｉに対応づけられた指定印象「爽快」の印象値ＩＭｉの当該選択された楽曲の情報項目ＩＭ４に対応付けられた指定印象「爽快」の印象値ＩＭｓに対する相対関係を色によって表す関係情報を、前記選択された楽曲の情報項目ＩＭ４以外の前記楽曲の情報項目ＩＭｉに対応づけて表示部１３に表示された楽曲リスト（図５参照）に重畳して表示させる（Ｓ２５：関係表示制御手段）。例えば、図５に示すように、＋印象曲リストを参照して、選択された楽曲の情報項目ＩＴ４に対応付けられた指定印象「爽快」の印象値ＩＭｓ（＝２）より大きい印象値ＩＭ５＝３が対応付けられた楽曲の情報項目ＩＴ５の背景が第１関係情報としての第１の色（例えば、緑色：図５では複数の横破線で表される）で表示される。また、−印象曲リストを参照して、選択された楽曲の情報項目ＩＴ４に対応付けられた指定印象「爽快」の印象値ＩＭｓ（＝２）より小さい印象値ＩＭ１＝ＩＭ３＝１が対応付けられた楽曲の情報項目ＩＴ１、ＩＴ３の背景が第２関係情報としての第２の色（例えば、赤色：図５では細かいドットで表される）で表示される。
【００５３】
なお、前記差ΔＩＭｉがゼロの場合（図３ＢにおけるＳ２０でＹＥＳ）、特に、対応する情報項目ＩＴｉの情報が記録されないので、選択された楽曲の情報項目ＩＴ４に対応付けられた指定印象「爽快」の印象値ＩＭｓ（＝２）と同じ印象値ＩＭ２＝ＩＴ６（＝２）が対応付けられた楽曲の情報項目ＩＴ２、ＩＴ６の背景は、表示された当初の楽曲リスト（図４及び図５参照）の色に維持される。
【００５４】
上述したようにして、図５に示すように、表示部１３に表示された楽曲リストに情報項目の背景の色にて表される関係情報（第１関係情報、第２関係情報）が重畳して表示されると（Ｓ２５）、処理ユニット１１は、図３Ａの処理に戻って、再び、操作部１２により楽曲リストの表示終了に係る操作がなされたか否か（Ｓ１２）、及び操作部１２により表示部１３に表示された楽曲リスト上での楽曲選択に係る操作がなされたか否か（Ｓ１３）を繰り返し判定する。
【００５５】
利用者が、現在、選択されて再生されている楽曲（情報項目ＩＴ４）より爽快な他の楽曲を再選択したい場合、表示部１３に表示された図５に示すような楽曲リストにおいて、背景色が赤色（第２関係情報：図５において複数の横破線で表される）となる楽曲の情報項目ＩＴ５の選択操作を行うことができる。この選択操作がなされると（Ｓ１３でＹＥＳ）、処理ユニット１１は、前述したのと同様に、楽曲リストの表示された表示部１３の画面上でカーソルＣｒが指示する楽曲の情報項目ついての選択処理を実行する（Ｓ１４）。そして、その選択された情報項目の楽曲に対応するオーディオデータが記憶部１４から読み出され、処理ユニット１１及びＡＶユニット１７での処理により、そのオーディオデータから得られる音声信号に従った楽曲の音がスピーカ１６から出力される。
【００５６】
以後、処理ユニット１１は、前述したのと同様に、更に、操作部１２により楽曲リストの表示終了に係る操作がなされたか否か（Ｓ１５）、及び印象指定ボタン１３１〜１３５のいずれかが操作されたか否か（Ｓ１６）を繰り返し実行する。その過程で、楽曲リストの表示終了に係る操作がなされると（Ｓ１５でＹＥＳ）、処理ユニット１１は、表示部１３に表示された楽曲リストを消し、代えて、他の画像、例えば、初期画像、あるいは、ナビゲーションに係る画像を表示部１３に表示させ、処理を終了させる。
【００５７】
一方、更に、印象指定ボタン１３１〜１３６のいずれかが操作されると（Ｓ１６）、前述したように、印象指定ボタンの操作にて指定される印象について、処理ユニット１１は、前述した処理（Ｓ１７〜Ｓ２５）を実行して、選択された楽曲の情報項目以外の楽曲の情報項目に対応づけられた指定印象の印象値の当該選択された楽曲の情報項目に対応付けられた指定印象の印象値に対する相対関係を表す関係情報（第１関係情報、第２関係情報）を、前記選択された楽曲の情報項目以外の前記楽曲の情報項目の背景色（第１の色、第２の色）として表示させる。
【００５８】
なお、図３Ａの処理において、処理ユニット１１は、楽曲リストを表示部１３に表示させた（Ｓ１１）後、楽曲の情報項目の選択操作がなされる前に、操作部１２にて楽曲リストの表示終了に係る操作がなされると（Ｓ１５でＹＥＳ）、処理ユニット１１は、表示部１３に表示された楽曲リストを消し、代えて、前述した他の画像を表示部１３に表示させ、処理を終了させる。
【００５９】
例えば、図６に示すように、印象指定ボタン１３１の操作により印象「激しさ」が指定されて、表示部１３に表示された楽曲リストから１つの楽曲の情報項目ＩＴ４が選択されると、処理ユニット１１の前述した処理（図３Ａ及び図３Ｂ参照）により、選択された楽曲の情報項目ＩＴ４に対応付けられた指定印象「激しさ」の印象値ＩＭｓ（＝１）より大きい印象値ＩＭ３＝２が対応付けられた楽曲の情報項目ＩＴ３の背景が第１関係情報としての第１の色（例えば、緑色：図６では複数の横破線で表される）で表示される。また、更に大きい印象値ＩＭ１＝ＩＭ２＝３に対応付けられた楽曲の情報項目ＩＴ１、ＩＴ２の背景が第１関連情報としての更に濃い第１の色（例えば、濃い緑色：図６では複数の横実線で表される）で表示される。
【００６０】
また、例えば、図７に示すように、印象指定ボタン１３４の操作により印象「素朴」が指定されて、表示部１３の表示された楽曲リストから１つの楽曲の情報項目ＩＴ４が選択されると、処理ユニット１１の前述した処理（図３Ａ及び図３Ｂ参照）により、選択された楽曲の情報項目ＩＴ４に対応づけられた指定印象「素朴」の印象値ＩＭｓ（＝３）より小さい印象値ＩＭ５＝ＩＭ６＝２が対応付けられた楽曲の情報項目ＩＴ５、ＩＴ６の背景が第２関係情報としての第２の色（例えば、赤色：図７では細かいドット状で表される）で表示される。また、更に小さい印象値ＩＭ１＝ＩＭ２＝ＩＭ３（＝１）に対応付けられた楽曲の情報項目ＩＴ１、ＩＴ２、ＩＴ３の背景が第２関連情報としての更に淡い第２の色（例えば、淡い赤色：図７では更に密度の小さいドットで表される）で表示される。
【００６１】
上述したような車載機器１００に設けられた情報提供装置では、印象指定ボタン１３１〜１３６により印象種が指定されて、表示部１３に表示された楽曲リストから１つの楽曲の情報項目が選択されると、その選択された楽曲の情報項目以外の楽曲の情報項目に対応付けられた指定印象の印象値の当該選択された楽曲の情報項目に対応付けられた指定印象の印象値に対する相対関係を表す関係情報が、その選択された楽曲の情報項目以外の前記楽曲の情報項目の背景色として表示される。この背景色により、その背景色の情報項目に対応付けられた指定印象の印象値の前記選択された楽曲の情報項目に対応付けられた指定印象の印象値に対する相対関係を示すことができる。従って、前記選択された楽曲の情報項目に対応付けられている指定印象の印象値と該選択された楽曲の情報項目以外の楽曲の情報項目に対応付けられている指定印象の印象値属性値との相対的な関係が分かるように、複数の楽曲の情報項目を含む楽曲リストを表示部１３に表示させて、当該複数の楽曲の情報項目についての情報を提供することができる。
【００６２】
利用者は、表示部１３に表示された楽曲リストにおいて、例えば、選択された情報項目の楽曲より爽快な楽曲の情報項目を、選択された情報項目の楽曲より躍動感のある楽曲の情報項目を、選択された情報項目の楽曲より素朴な楽曲の情報項目を、選択された情報項目の楽曲よりソフトな楽曲の情報項目を、その第１関係情報（第１の色の背景）によって容易に知ることができる。また、利用者は、表示部１３に表示された楽曲リストにおいて、例えば、選択された情報項目の楽曲より激しくない楽曲の情報項目を、選択された情報項目の楽曲より躍動感のない楽曲の情報項目を、選択された情報項目の楽曲より爽快でない楽曲の情報項目を、選択された楽曲より素朴でない楽曲の情報項目を、選択された楽曲よりソフトでない楽曲の情報項目を、その第２関係情報（第２の色の背景）によって容易に知ることができる。
【００６３】
更に、例えば、図６に示すように、表示部１３に表示された楽曲リストにおいて、選択された楽曲の情報項目ＩＴ４に対応付けられた印象値ＩＭｓ（＝１）より大きい印象値ＩＭ１＝ＩＭ２＝３及びＩＭ３＝２が対応付けられた楽曲の情報項目ＩＴ１、ＩＴ２、ＩＴ３の当該印象値ＩＭ１、ＩＭ２、ＩＭ３のその大きい程度がその情報項目ＩＴ１、ＩＴ２、ＩＴ３の第１の色（例えば、緑色）の背景色の濃さにより表されている。従って、利用者は、表示部１３に表示された楽曲リストにおいて、情報項目ＩＴ１、ＩＴ２、ＩＴ３の背景色の濃さによって、当該情報項目ＩＴ１、ＩＴ２、ＩＴ３に対応づけられた印象値ＩＭ１、ＩＭ２、ＩＭ３の選択された情報項目ＩＴ４に対応付けられた印象値ＩＭｓに対する大きい程度（例えば、より激しい程度）を容易に知ることができる。
【００６４】
また、例えば、図７に示すように、表示部１３に表示された楽曲リストにおいて、選択された楽曲の情報項目ＩＴ４に対応付けられた印象値ＩＭｓ（＝３）より小さい印象値ＩＭ５＝ＩＭ６＝２、ＩＭ１＝ＩＭ２＝ＩＭ３＝１が対応付けられた楽曲の情報項目ＩＴ５、ＩＴ６、ＩＴ１、ＩＴ２、ＩＴ３のその小さい程度がその情報項目ＩＴ５、ＩＴ６、ＩＴ１、ＩＴ２、ＩＴ３の第２の色（例えば、赤色）の背景色の淡さにより表されている。従って、利用者は、表示部１３に表示された楽曲リストにおいて、情報項目ＩＴ５、ＩＴ６、ＩＴ１、ＩＴ２、ＩＴ３の背景色の淡さによって、当該情報項目ＩＴ５、ＩＴ６、ＩＴ１、ＩＴ２、ＩＴ３に対応づけられた印象値ＩＭ５、ＩＭ６、ＩＭ１、ＩＭ２、ＩＭ３の選択された情報項目ＩＴ４に対応付けられた印象値ＩＭｓに対する小さい程度（例えば、より素朴な程度）を容易に知ることができる。
【００６５】
前述した車載機器２００（情報提供装置、情報選択装置）では、楽曲の「激しさ」、「躍動感」、「爽快」、「素朴」及び「ソフト」の各印象を属性とし、その印象を数値化した印象値を属性値としたが、これに限定されず、例えば、楽曲のテンポの速さ・遅さ、再生回数、発表の新しさ等、他の属性値を用いることもできる。
【００６６】
また、情報項目は、楽曲の情報項目に限定されず、例えば、施設検索にて得られた施設の情報項目等、他の種類の情報項目についての情報を提供するものであってもよい。例えば、施設検索にて得られた駐車場の情報項目の場合、その駐車場の現在位置からの距離、料金、広さ（収容台数）、営業時間等を数値化して属性値として用いることもできる。
【００６７】
関係情報は、色によって表すことに限定されず、他の種類の情報、例えば、マーク、文字等によって表すこともできる。
【００６８】
また、本発明に係る情報提供装置及び情報選択装置は、車載機器１００に設ける場合に限定されず、他の種類の機器に設けることも、また単独にて構成することも可能である。
【産業上の利用可能性】
【００６９】
以上のように、本発明に係る情報提供装置、情報提供方法及び情報選択装置は、選択された情報項目に対応付けられている属性値と該選択された情報項目以外の情報項目に対応付けられた属性値との相対的な関係が分かるように、複数の情報項目を表示部に一覧的に表示させえることができるという効果を有し、複数の情報項目を表示部に一覧的に表示させて、当該複数の情報項目についての情報を提供する情報提供装置及び情報提供方法、並びに、複数の情報項目を表示部に一覧的に表示させて、該表示部の画面上で前記複数の情報項目において指定された情報項目を選択する情報選択装置に関として有用である。
【符号の説明】
【００７０】
１１  処理ユニット
１２  操作部
１３  表示部
１４  記憶部
１５  出力回路
１６  スピーカ
１７  ＡＶユニット
１８  ナビゲーションユニット
１００  車載機器
【図１】
2014154064.tif 000003
【図２】
2014154064.tif 000004
【図３Ａ】
2014154064.tif 000005
【図３Ｂ】
2014154064.tif 000006
【図４】
2014154064.tif 000007
【図５】
2014154064.tif 000008
【図６】
2014154064.tif 000009
【図７】
2014154064.tif 000010